(57)【要約】【課題】額縁の前面側の幅寸法を小さくでき、額縁を軽量に形成できるとともに、額縁の前面側から作品の入れ替えを行うことができる額縁を提供すること。【解決手段】フレーム片Ｆ１、Ｆ２、Ｆ３、Ｆ４を、額縁Ｆの後面側の開口部を形成するフレーム片Ｆ１、Ｆ２、Ｆ３、Ｆ４の後面側の内側縁を内方に延出するようにした断面Ｌ字形状に形成することによって、額縁Ｆの後面側の開口部の大きさが前面側の開口部の大きさよりも小さくなるようにし、額縁Ｆの前面側の開口部から嵌入した裏面板Ｂをフレーム片Ｆ１、Ｆ２、Ｆ３、Ｆ４の後面側の内側縁で支持するとともに、表面板Ｇの周縁部の表面をフレーム片Ｆ１、Ｆ２に移動可能に配設した止め具Ｓによって係止するようにする。【選択図】図１
2011194206.tif 000002
【特許請求の範囲】
【請求項１】
フレーム片を互いに突き合わせ、継合して形成するようにした額縁において、前記フレーム片を、額縁の後面側の開口部を形成するフレーム片の後面側の内側縁を内方に延出するようにした断面Ｌ字形状に形成することによって、額縁の後面側の開口部の大きさが前面側の開口部の大きさよりも小さくなるようにし、額縁の前面側の開口部から嵌入した裏面板をフレーム片の後面側の内側縁で支持するとともに、表面板の周縁部の表面をフレーム片に移動可能に配設した止め具によって係止するようにしたことを特徴とする額縁。
【請求項２】
止め具の弾性力によって、表面板の周縁部の表面を押圧した状態で係止するようにしたことを特徴とする請求項１記載の額縁。
【請求項３】
互いに突き合わせたフレーム片同士を、フレーム片に形成した継合溝内に挿入固定されるＬ字形状に形成した継合具を介して、継合するようにしたことを特徴とする請求項１又は２記載の額縁。
【発明の詳細な説明】
【技術分野】
【０００１】
本発明は、額縁に関し、特に、フレーム片を互いに突き合わせ、継合して形成するようにした額縁に関するものである。
【背景技術】
【０００２】
従来、絵画、写真、ポスター、タペストリー等の作品（以下、「作品」という。）を展示等する場合、作品を額縁に入れて作品の保護を図りつつ展示するようにしている。
【０００３】
この額縁としては、木製や金属製のフレーム片を矩形に組み立てて一体としたものが汎用されている。
【０００４】
ところで、従来の額縁は、額縁の前面側の開口部の大きさを後面側の開口部の大きさよりも小さくなるように形成し、額縁の後面側の開口部から、ガラスや合成樹脂製の表面板、作品、裏面板を順に嵌入し、表面板を額縁の前面側の内側縁で支持するとともに、裏面板の周縁部の表面を額縁に配設した止め具によって係止するようにするものが一般的であった。
【０００５】
このため、従来の額縁は、額縁の前面側の幅寸法が大きくなり、展示する作品によっては重厚になりすぎるとともに、額縁の重量が大きくなり、額縁を取り付ける箇所の補強が必要になる等の問題があった。
また、作品の入れ替えを行う場合、額縁を一旦取り外す必要があり、手数を要するという問題があった。
【発明の概要】
【発明が解決しようとする課題】
【０００６】
本発明は、上記従来の額縁の有する問題点に鑑み、額縁の前面側の幅寸法を小さくでき、額縁を軽量に形成できるとともに、額縁の前面側から作品の入れ替えを行うことができる額縁を提供することを目的とする。
【課題を解決するための手段】
【０００７】
上記目的を達成するため、本発明の額縁は、フレーム片を互いに突き合わせ、継合して形成するようにした額縁において、前記フレーム片を、額縁の後面側の開口部を形成するフレーム片の後面側の内側縁を内方に延出するようにした断面Ｌ字形状に形成することによって、額縁の後面側の開口部の大きさが前面側の開口部の大きさよりも小さくなるようにし、額縁の前面側の開口部から嵌入した裏面板をフレーム片の後面側の内側縁で支持するとともに、表面板の周縁部の表面をフレーム片に移動可能に配設した止め具によって係止するようにしたことを特徴とする。
【０００８】
この場合において、止め具の弾性力によって、表面板の周縁部の表面を押圧した状態で係止するようにすることができる。
【０００９】
また、互いに突き合わせたフレーム片同士を、フレーム片に形成した継合溝内に挿入固定されるＬ字形状に形成した継合具を介して、継合するようにすることができる。
【発明の効果】
【００１０】
本発明の額縁によれば、フレーム片を互いに突き合わせ、継合して形成するようにした額縁において、前記フレーム片を、額縁の後面側の開口部を形成するフレーム片の後面側の内側縁を内方に延出するようにした断面Ｌ字形状に形成することによって、額縁の後面側の開口部の大きさが前面側の開口部の大きさよりも小さくなるようにし、額縁の前面側の開口部から嵌入した裏面板をフレーム片の後面側の内側縁で支持するとともに、表面板の周縁部の表面をフレーム片に移動可能に配設した止め具によって係止するようにすることにより、フレーム片の前面側の幅寸法を小さくすることができ、重厚になりすぎない額縁を提供することができ、また、フレーム片の前面側の幅寸法を小さくできることによって、互いに突き合わせたフレーム片間のずれを目立たなくすることができ、特に、大形の額縁にあった温度変形の問題を解消することができる。
また、この額縁は、額縁を軽量に形成できることから、額縁の適用範囲を拡大することができる。
さらに、この額縁は、作品の入れ替えを額縁の前面側から行うことができるため、作品を入れ替える際に、額縁を一旦取り外す作業が不要となり、作品の入れ替え作業を簡易に行うことができる。
【００１１】
また、止め具の弾性力によって、表面板の周縁部の表面を押圧した状態で係止するようにすることにより、表面板と裏面板との間に挟持した作品を安定した状態に維持することができる。
【００１２】
また、互いに突き合わせたフレーム片同士を、フレーム片に形成した継合溝内に挿入固定されるＬ字形状に形成した継合具を介して、継合することにより、フレーム片の組み立てを簡易に行うことができ、これによって、フレーム片の組み立てを、設備の整った工場以外の場所、例えば、販売店やユーザー側で行うことを可能にすることができる。
【図面の簡単な説明】
【００１３】
【図１】本発明の額縁の一実施例を示す外観斜視図である。
【図２】同額縁の一部拡大断面図である。
【図３】止め具の外観斜視図である。
【図４】フレーム片の継合構造の一例を示す説明図である。
【図５】継合具を示し、（Ａ）は正面図、（Ｂ）は側面図である。
【図６】フレーム片の継合構造の一例を示す説明図で、（Ａ）は断面図（（Ｂ）のＸ−Ｘ断面図）、（Ｂ）は正面図である。
【発明を実施するための形態】
【００１４】
以下、本発明の額縁の実施の形態を、図面に基づいて説明する。
【００１５】
図１〜図５に、本発明の額縁の一実施例を示す。
この額縁Ｆは、表面板Ｇと裏面板Ｂとの間に作品Ｗを挟持し、展示等を行うようにしたもので、４本のフレーム片Ｆ１、Ｆ２、Ｆ３、Ｆ４を互いに突き合わせ、継合具Ｄ１を介して継合して矩形状に形成するようにしたもので、フレーム片Ｆ１、Ｆ２、Ｆ３、Ｆ４を、額縁Ｆの後面側の開口部を形成するフレーム片Ｆ１、Ｆ２、Ｆ３、Ｆ４の後面側の内側縁を内方に延出するようにした断面Ｌ字形状に形成することによって、額縁Ｆの後面側の開口部の大きさが前面側の開口部の大きさよりも小さくなるようにし、額縁Ｆの前面側の開口部から嵌入した裏面板Ｂをフレーム片Ｆ１、Ｆ２、Ｆ３、Ｆ４の後面側の内側縁で支持するとともに、表面板Ｇの周縁部の表面をフレーム片（本実施例においては、フレーム片Ｆ１、Ｆ２）に移動可能（本実施例においては、揺動可能）に配設した止め具Ｓによって係止するようにしている。
【００１６】
この場合において、フレーム片Ｆ１、Ｆ２、Ｆ３、Ｆ４は、額縁Ｆの大きさに適応した長さに切断した金属製や合成樹脂製のもの、より具体的には、例えば、押し出し成形や引き出し成形したアルミニウム製の形材を好適に用いることができる。
フレーム片Ｆ１、Ｆ２、Ｆ３、Ｆ４の断面形状は、後面側の内側縁を内方に延出するようにした断面Ｌ字形状に形成するものである限りにおいて、特に限定されるものではないが、本実施例においては、額縁Ｆの表面側となるフレーム表片Ｆａと、このフレーム表片Ｆａに直角方向に連続するフレーム側片Ｆｂ及びこのフレーム側片Ｆｂに直角方向に連続する、前記後面側の内側縁を構成するフレーム裏片Ｆｃとで形成されるようにしている。
【００１７】
この継合具Ｄ１は、フレーム片Ｆ１、Ｆ２、Ｆ３、Ｆ４の突き合わせ部を密着させた状態で継合するもので、特に限定されるものではないが、例えば、図４〜図５に示すように、フレーム片Ｆ１、Ｆ２、Ｆ３、Ｆ４の長手方向の端部を４５°の傾斜角度で切断することによって、突き合わせ部が直角となるようにし、この状態で、Ｌ字形状に形成した継合具Ｄ１の継合端片Ｄａ、Ｄｂをフレーム片Ｆ１、Ｆ２、Ｆ３、Ｆ４に形成した継合溝Ｆｄ内に挿入することによって、互いに突き合わせたフレーム片Ｆ１、Ｆ２、Ｆ３、Ｆ４同士を継合するようにしている。
このため、継合具Ｄ１は、フレーム片Ｆ１、Ｆ２、Ｆ３、Ｆ４の材料より硬いばね鋼等の材料で構成し、継合具Ｄ１の継合端片Ｄａ、Ｄｂをフレーム片Ｆ１、Ｆ２、Ｆ３、Ｆ４に形成した継合溝Ｆｄ内に挿入したとき、継合溝Ｆｄの内壁面に食い込むように、縁部に鋸歯形状の突起を形成するようにしている。
【００１８】
また、継合具には、このほか、図６に示すような、ねじＮを用いて、フレーム片Ｆ１、Ｆ２、Ｆ３、Ｆ４の突き合わせ部を密着させた状態で継合する継合具Ｄ２を用いることもできる。
【００１９】
このように、互いに突き合わせたフレーム片Ｆ１、Ｆ２、Ｆ３、Ｆ４同士を、フレーム片Ｆ１、Ｆ２、Ｆ３、Ｆ４に形成した継合溝Ｆｄ内に挿入固定されるＬ字形状に形成した継合具Ｄ１、Ｄ２を介して、継合することにより、フレーム片Ｆ１、Ｆ２、Ｆ３、Ｆ４の組み立てを簡易に行うことができ、これによって、フレーム片Ｆ１、Ｆ２、Ｆ３、Ｆ４の組み立てを、設備の整った工場以外の場所、例えば、販売店やユーザー側で行うことを可能にすることができる。
【００２０】
作品Ｗの表面を覆って作品Ｗを保護する表面板Ｇは、特に限定されるものではないが、例えば、アクリル樹脂等の透明な合成樹脂板やガラス板を好適に用いることができる。
【００２１】
また、作品Ｗの裏面を覆って支持する裏面板Ｂは、特に限定されるものではないが、例えば、段ボール、プラスチック製段ボール、発泡樹脂板、合板等のある程度の剛性と額縁Ｆの厚さ方向の寸法の誤差を吸収する弾性とを備えた板材を好適に用いることができる。
【００２２】
止め具Ｓは、止め具Ｓが備える弾性力によって、表面板Ｇの周縁部の表面を押圧した状態で係止するようにすることにより、表面板Ｇと裏面板Ｂとの間に挟持した作品Ｗを安定した状態に維持することができるようにすることが好ましい。
このため、止め具Ｓは、ばね鋼等の材料で構成し、図３に示すように、表面板Ｇの周縁部の表面を押圧する舌片状の押さえ片１と、この押さえ片１に屈曲して連続する側片２及びこの側片２に屈曲して連続する取付片３とで形成されるようにしている。
押さえ片１には、表面板Ｇの周縁部の表面をスポット状に押圧する突起１１を、また、取付片３には、止め具Ｓをフレーム片Ｆ１、Ｆ２（、Ｆ３、Ｆ４）の裏側にねじ（図示省略）によって揺動可能に配設するための透孔３１を形成するようにしている。
この場合、取付片３に形成した透孔３１は、額縁Ｆを吊す際に使用する吊り紐Ｈを取り付ける孔として利用することができる。
なお、本実施例においては、止め具Ｓをフレーム片Ｆ１、Ｆ２の各２箇所に配設するようにしたが、止め具Ｓを配設する位置は、額縁Ｆの大きさ等に応じて、適宜設定することができる。
また、止め具Ｓの押さえ片１は、図１に示すように、額縁Ｆの前面に直接露出するようになるため、強度を損なわない程度に可及的に小さく、かつ体裁の良いデザインに形成することが好ましい。
また、本実施例においては、止め具Ｓをフレーム片Ｆ１、Ｆ２に揺動可能に配設することによって、止め具Ｓが、表面板Ｇの周縁部の表面を押圧、係止する状態と、開放する状態とを取ることができるようにしたが、止め具Ｓが上記２つの状態を取ることができる限りにおいて、止め具Ｓの移動方式は本実施例の揺動に限定されず、例えば、表面板Ｇの表面に沿って直線的に移動するようにフレーム片Ｆ１、Ｆ２、Ｆ３、Ｆ４にスライド可能に配設することもできる。
【００２３】
この額縁Ｆは、フレーム片Ｆ１、Ｆ２、Ｆ３、Ｆ４を互いに突き合わせ、継合具Ｄ１、Ｄ２を介して継合して形成するようにした額縁Ｆにおいて、フレーム片Ｆ１、Ｆ２、Ｆ３、Ｆ４を、額縁Ｆの後面側の開口部を形成するフレーム片Ｆ１、Ｆ２、Ｆ３、Ｆ４の後面側の内側縁を内方に延出するようにした断面Ｌ字形状に形成することによって、額縁Ｆの後面側の開口部の大きさが前面側の開口部の大きさよりも小さくなるようにし、額縁Ｆの前面側の開口部から嵌入した裏面板Ｂをフレーム片Ｆ１、Ｆ２、Ｆ３、Ｆ４の後面側の内側縁で支持するとともに、表面板Ｇの周縁部の表面をフレーム片Ｆ１、Ｆ２（、Ｆ３、Ｆ４）に移動可能（本実施例においては、揺動可能）に配設した止め具Ｓによって係止するようにすることにより、フレーム片Ｆ１、Ｆ２、Ｆ３、Ｆ４の前面側の幅寸法を小さくすることができ、重厚になりすぎない額縁Ｆを提供することができ、また、フレーム片Ｆ１、Ｆ２、Ｆ３、Ｆ４の前面側の幅寸法を小さくできることによって、互いに突き合わせたフレーム片Ｆ１、Ｆ２、Ｆ３、Ｆ４間のずれを目立たなくすることができ、特に、大形の額縁Ｆにあった温度変形の問題を解消することができる。
また、この額縁Ｆは、額縁Ｆを軽量に形成できることから、額縁Ｆの適用範囲を拡大することができる。
さらに、この額縁Ｆは、作品Ｗの入れ替えを額縁Ｆの前面側から行うことができるため、作品Ｗを入れ替える際に、額縁Ｆを一旦取り外す作業が不要となり、作品Ｗの入れ替え作業を簡易に行うことができる。
【００２４】
以上、本発明の額縁について、その実施例に基づいて説明したが、本発明は上記実施例に記載した構成に限定されるものではなく、その趣旨を逸脱しない範囲において適宜その構成を変更することができるものである。
【産業上の利用可能性】
【００２５】
本発明の額縁は、額縁の前面側の幅寸法を小さくでき、額縁を軽量に形成できるとともに、額縁の前面側から作品の入れ替えを行うことができる特性を有していることから、絵画、写真、ポスター、タペストリー等の作品、特に、大形の作品を展示等する場合に使用する額縁の用途に好適に用いることができる。
【符号の説明】
【００２６】
Ｆ    額縁
Ｆ１〜Ｆ４  フレーム片
Ｆａ  フレーム表片
Ｆｂ  フレーム側片
Ｆｃ  フレーム裏片
Ｆｄ  継合溝
Ｇ    表面板
Ｗ    作品
Ｂ    裏面板
Ｓ    止め具
Ｄ１  継合具
Ｄ２  継合具
Ｈ    吊り紐
１    押さえ片
２    側片
３    取付片
【図１】
2011194206.tif 000003
【図２】
2011194206.tif 000004
【図３】
2011194206.tif 000005
【図４】
2011194206.tif 000006
【図５】
2011194206.tif 000007
【図６】
2011194206.tif 000008